(57)【特許請求の範囲】
【請求項１】
光ディスクメディアのデータを消去するターンテーブル式光ディスクメディア消去装置において、
円形のテーブルであり、回転するターンテーブルと、
回転する前記ターンテーブル上に光ディスクメディアを１枚ずつ乗せるメディア投入機構と、
光ビームスポットを現出し、回転する前記ターンテーブル上の光ディスクメディアに光ビームスポットを照射し、光ディスクメディア内の記録層を破壊することによってデータを消去し、光ディスクメディア自体を変形させる光ビームスポット部と、
前記光ビームスポット部によりデータが消去され、変形された光ディスクメディアを回転する前記ターンテーブル上から外周側に順次押し出す押出し部と、
前記押出し部により前記ターンテーブルから押出された光ディスクメディアをピックアップし排出するメディア排出機構と、
前記光ビームスポット部により照射された光ディスクメディアの表面の温度を測定する温度センサ部と、
前記温度センサ部により測定された前記光ビームスポット部の下を通過中の光ディスクメディアの表面温度が一定以上の場合は前記ターンテーブルの回転速度を早くし、逆に前記温度が一定以下の場合には前記ターンテーブルの回転速度を遅くする制御を行うターンテーブル制御部とを備えることを特徴とするターンテーブル式光ディスクメディア消去装置。
【請求項２】
前記ターンテーブルの回転により前記光ビームスポット部は円形の光ディスクメディアの外周から中心部分の円形穴の内周を通過し、さらに、中心部分の円形穴の内周から外周を通過し光ディスクメディアに光ビームスポットを照射することを特徴とする、請求項１に記載のターンテーブル式光ディスクメディア消去装置。
【請求項３】
前記メディア投入機構は、光ディスクメディアを乗せる位置を前記ターンテーブルの回転に伴って検出し、検出毎に一枚の光ディスクメディアを前記ターンテーブルに乗せることを特徴とする、請求項１に記載のターンテーブル式光ディスクメディア消去装置。
【請求項４】
前記ターンテーブル上に設置された板で構成されるメディア押出し部により複数の光ディスクメディアを前記ターンテーブル上から外周側に順次押し出し排出することを特徴とする、請求項１に記載のターンテーブル式光ディスクメディア消去装置。
【請求項５】
前記メディア排出機構は、前記ターンテーブルから押し出される光ディスクメディアをピックアップする回転機構と、前記回転機構によりピックアップされた光ディスクメディアを排出するための滑り台とを有し、
前記回転機構は前記ターンテーブル側から前記滑り台に向かって回転し、ピックアップした光ディスクメディアを前記滑り台に乗せる回転体と、前記回転体を駆動するためのギアボックスとを有し、
前記回転体の形状は四角形、三角形を含む多角形の任意の１つであり、前記回転体の材質はゴム等の光ディスクメディアに対して摩擦抵抗の大きな材質、又は、ゴム等の光ディスクメディアに対して摩擦抵抗の大きな材料をコーティングした材質であり、前記回転体の形状が円形状の場合、前記回転体にブラシを含む突起を付し、
前記滑り台には光ディスクメディアのガイドが設けられ、前記ガイドは前記ターンテーブルから離れて前記メディア排出機構の排出側に行くほど狭くし、前記滑り台に取り付けたメディア排出センサが光ディスクメディアを検出する際に、光ディスクメディアの中央部の穴、中心部付近の透明な部分以外の部分が前記メディア排出センサを通過するようにすることを特徴とする、請求項１に記載のターンテーブル式光ディスクメディア消去装置。
【請求項６】
消去動作スタート時に前記ターンテーブル上の光ディスクメディアの数を格納し、前記ターンテーブルに乗せる光ディスクメディアを検出する毎に光ディスクメディアの数をカウントアップし、前記ターンテーブルから排出する光ディスクメディアを検出する毎にカウントダウンし、前記ターンテーブル上の光ディスクメディアの数が０になった場合には、前記光ビームスポット部の出力を停止し、前記ターンテーブルの回転を停止することを特徴とする、請求項１に記載のターンテーブル式光ディスクメディア消去装置。
【請求項７】
動作モードデータベースを備え、前記動作モードデータベースは消去動作スタートからの前記ターンテーブル上に存在する光ディスクメディアの数を格納し、光ディスクメディアの数のカウントダウン又はカウントアップに使用されることを特徴とする、請求項６に記載のターンテーブル式光ディスクメディア消去装置。
【請求項８】
電源の投入により、前記ターンテーブルを１回転し、前記ターンテーブル上の光ディスクメディアを全て排出することを特徴とする、請求項１に記載のターンテーブル式光ディスクメディア消去装置。
【請求項９】
消去動作スタートで、前記ターンテーブルの回転と同時に前記光ビームスポット部の出力を開始することを特徴とする、請求項１に記載のターンテーブル式光ディスクメディア消去装置。
【請求項１０】
光ディスクメディアのデータを消去するターンテーブル式光ディスクメディア消去方法において、
円形のテーブルであるターンテーブルを回転する工程と、
回転するターンテーブル上に光ディスクメディアを１枚ずつ乗せる工程と、
回転する前記ターンテーブル上の光ディスクメディアに光ビームスポットを照射し、光ディスクメディア内の記録層を破壊することによってデータを消去し、且つ、光ディスクメディア自体を変形させる工程と、
データが消去され、且つ、変形された光ディスクメディアを前記ターンテーブル上から外周側に順次押し出された光ディスクメディアをピックアップし、排出する工程と、
前記光ビームスポットを通過し光ビームスポットが照射される光ディスクメディアの表面の温度を測定する工程と、
通過中の光ディスクメディアの表面の温度が一定以上の場合には前記ターンテーブルの回転速度を早くし、若しくは、通過中の光ディスクメディアの表面の温度が一定以下の場合には前記ターンテーブルの回転速度を遅くし、又は、通過中の光ディスクメディアの表面の温度が一定以上の場合には前記光ビームスポット部の出力を下げ、又は、通過中の光ディスクメディアの表面の温度が一定以下の場合には前記光ビームスポット部の出力を上げ、さらに、通過中の光ディスクメディアの表面の温度が一定以上の場合に前記ターンテーブルの回転速度を早くすることにより、通過中の光ディスクメディアの表面の温度が降下し上限温度以下の場合には前記光ビームスポット部の出力をさげ、又は、通過中の光ディスクメディアの表面の温度が一定以下の場合に前記ターンテーブルの回転速度を遅くすることにより、通過中の光ディスクメディアの表面の温度が上昇し下限温度以上の場合には前記光ビームスポット部の出力を上げるように前記ターンテーブルの回転速度及び前記光ビームスポット部の出力を制御し、光ディスクメディアの表面の温度を最適温度付近に安定させる工程と、
前記光ディスクメディアの表面の温度が一定時間内に一定の温度範囲に入らない場合、前記ターンテーブルの回転速度を早くしても通過中の光ディスクメディアの表面の温度が降下せず、又は、前記ターンテーブルの回転速度を遅くしても通過中の光ディスクメディアの表面の温度が上昇しない場合、さらに、前記ターンテーブルの回転速度を早くし通過中の光ディスクメディアの表面の温度が降下しても上限温度以下にならず、又は、前記ターンテーブルの回転速度を遅くし通過中の光ディスクメディアの表面の温度が上昇しても下限温度以上にならない場合には前記光ビームスポット部の出力、前記ターンテーブルの回転、メディア排出機構の動作を停止する工程とを備えることを特徴とするターンテーブル式光ディスクメディア消去方法。
【請求項１１】
動作モードデータベースに前記ターンテーブルの標準回転速度、下限回転速度及び上限回転速度、前記光ビームスポット部の標準出力、下限出力及び上限出力、並びに光ディスクメディアの消去標準温度、下限温度及び上限温度を格納する工程を備え、前記ターンテーブルの回転速度、前記光ビームスポット部の出力の制御に使用されることを特徴とする、請求項１０に記載のターンテーブル式光ディスクメディア消去方法。
【請求項１２】
光ディスクメディアのデータを消去するターンテーブル式光ディスクメディア消去プログラムにおいて、
円形のテーブルであるターンテーブルを回転する手順と、
回転するターンテーブル上に光ディスクメディアを１枚ずつ乗せる手順と、
回転する前記ターンテーブル上の光ディスクメディアに光ビームスポットを照射し、光ディスクメディア内の記録層を破壊することによってデータを消去し、且つ、光ディスクメディア自体を変形させる手順と、
データが消去され、且つ、変形された光ディスクメディアを前記ターンテーブル上から外周側に順次押し出された光ディスクメディアをピックアップし、排出する手順と、
前記光ビームスポットを通過し光ビームスポットが照射される光ディスクメディアの表面の温度を測定する工程と、
通過中の光ディスクメディアの表面の温度が一定以上の場合には前記ターンテーブルの回転速度を早くし、若しくは、通過中の光ディスクメディアの表面の温度が一定以下の場合には前記ターンテーブルの回転速度を遅くし、又は、通過中の光ディスクメディアの表面の温度が一定以上の場合には前記光ビームスポット部の出力を下げ、又は、通過中の光ディスクメディアの表面の温度が一定以下の場合には前記光ビームスポット部の出力を上げ、さらに、通過中の光ディスクメディアの表面の温度が一定以上の場合に前記ターンテーブルの回転速度を早くすることにより、通過中の光ディスクメディアの表面の温度が降下し上限温度以下の場合には前記光ビームスポット部の出力をさげ、又は、通過中の光ディスクメディアの表面の温度が一定以下の場合に前記ターンテーブルの回転速度を遅くすることにより、通過中の光ディスクメディアの表面の温度が上昇し下限温度以上の場合には前記光ビームスポット部の出力を上げるように前記ターンテーブルの回転速度及び前記光ビームスポット部の出力を制御し、光ディスクメディアの表面の温度を最適温度付近に安定させる工程と、
前記光ディスクメディアの表面の温度が一定時間内に一定の温度範囲に入らない場合、前記ターンテーブルの回転速度を早くしても通過中の光ディスクメディアの表面の温度が降下せず、又は、前記ターンテーブルの回転速度を遅くしても通過中の光ディスクメディアの表面の温度が上昇しない場合、さらに、前記ターンテーブルの回転速度を早くし通過中の光ディスクメディアの表面の温度が降下しても上限温度以下にならず、又は、前記ターンテーブルの回転速度を遅くし通過中の光ディスクメディアの表面の温度が上昇しても下限温度以上にならない場合には前記光ビームスポット部の出力、前記ターンテーブルの回転、メディア排出機構の動作を停止する工程とを備えることを特徴とするターンテーブル式光ディスクメディア消去プログラム。
【請求項１３】
動作モードデータベースに前記ターンテーブルの標準回転速度、下限回転速度及び上限回転速度、前記光ビームスポット部の標準出力、下限出力及び上限出力、並びに光ディスクメディアの消去標準温度、下限温度及び上限温度を格納する工程を備え、前記ターンテーブルの回転速度、前記光ビームスポット部の出力の制御に使用されることを特徴とする、請求項１２に記載のターンテーブル式光ディスクメディア消去プログラム。
【発明の詳細な説明】
【技術分野】
【０００１】
本発明は主としてＣＤ（Ｃｏｎｐａｃｔ  Ｄｉｓｋ）、ＤＶＤ（Ｄｉｇｉｔａｌ  Ｖｅｒｓａｔｉｌｅ  Ｄｉｓｋ）、ＢＤ（Ｂｌｕｅ  Ｒａｙ  Ｄｉｓｋ）、ＨＤＤＶＤ（Ｈｉｇｈ  Ｄｅｎｓｉｔｙ  Ｄｉｇｉｔａｌ  Ｖｅｒｓａｔｉｌｅ  Ｄｉｓｋ）等の光ディスクメディアのデータを消去する装置に関する。特に、本発明は、光ディスクメディアのデータを連続して大量に消去し、光ディスクメディアの変形を行うターンテーブル式光ディスクメディア消去装置、方法及びプログラムに関する。
【背景技術】
【０００２】
従来、光ディスクメディアを一枚ずつ手動で特定の位置へセットした後、ハロゲン／キセノン等の光ビームスポットにより光ディスクメディア内データ格納領域の記録層に焦点を合わせて熱を加え、記録層を破壊したあと、手動により光ディスクメディアを特定の位置から取り外していたため、光ディスクメディアを一枚ずつ作業者により着脱する必要があり、大量の光ディスクメディアを消去する際、消去装置の前に作業者が常に付きっきりになる必要があるという問題点があった。
【０００３】
また従来、光ディスクメディアの寿命予測及び自動複製、並びに光ディスクメディアへの読み書き、光ディスクメディアの保管管理、及び光ディスクメディア廃棄時のデータ消去の全てを同一装置内で実現するものはあるが、構造が複雑となり、価格も高価であるという問題点があった。
また、光ディスクメディアを消去したことの証拠を示す必要がある場合、シュレッダー等による破砕では、その細かくなった破片をもって、消去対象の光ディスクメディアである証拠とすることは難しいという問題があった。
このような光ディスクメディアの廃棄に関連する従来の技術として以下の特許文献１及び２に記載のものがある。
【０００４】
ポリ乳酸を原料とする透明プラスチックの基板を備える光ディスクを熱変形温度に加熱することにより、基板は軟化して、基板の信号記録面上に形成されたピットが消去し、このため、光ディスクに記録されたデータが読み出せない状態になり、ディスクを廃棄しても、光ディスクの廃棄に伴ってデータを不用意に読み取られてしまうことがなくなるものがある（例えば、特許文献１参照）。
【０００５】
しかしながら、上記特許文献１では、生分解性を持ち、１００℃という比較的低温で変形する特殊なプラスチックを原料としたディスクを開発したことが骨子となり以下それを使用した場合の有用性を述べているに過ぎず、大量の光ディスクメディアを消去する問題を解決するものではない。
また、光ディスクに記録されたデータを簡便に効率よく廃棄することができるディスクの記録データ消去装置を提供するため、ディスクを回転させるスピンドルモータと、光ピックアップを前記ディスクの半径方向に往復動させるスレッドモータと、前記ディスクの記録データを消去させるモードを設定する設定手段と、この設定手段からデータ消去指令があると、前記スピンドルモータの回転を制御し、前記ディスクをランダムな速度で回転させつつ、このディスクにデータを上書きさせる制御手段と、を備えたものもある（例えば、特許文献２参照）。
【０００６】
しかしながら、上記特許文献２では、レーザーピックアップを使用しデータ記録層のデータ部分を上書きにより破壊する方式の一種であるが、大量の光ディスクの記録層及び媒体自体の基盤材料までを含めた熱破壊、変形を行う問題を解決するものではない。
また、光ディスクメディアに関連する従来の技術として、特許文献３に記載のものがある。
回転可能なターンテーブル上に複数の光ディスクを平板状に載置しターンテーブルを回転操作して再生する光ディスクを選択するディスクチェンジャ装置において、ターンテーブルに加わる外力による回転駆動機構の破損を防止するため、モータの駆動軸に取付けられたウォームギヤが噛合するウォームホイールとターンテーブルに設けられたギヤ部に噛合する伝達ギヤとの間に、伝達される駆動力を制限するリミッタ機構を設けたものもある（例えば、特許文献３参照）。
【０００７】
しかしながら、上記特許文献３では、ターンテーブル上に複数の光ディスクを平板状に載置しターンテーブルを回転操作するが、大量の光ディスクメディアを消去する問題を解決するものではない。
【０００８】
【特許文献１】特開２００５−０５０４９９号公報
【特許文献２】特開２００７−１８４０５３号公報
【特許文献２】特開平０９−１４７４６８号公報
【発明の開示】
【発明が解決しようとする課題】
【０００９】
したがって、本発明は上記問題点に鑑みて、光ディスクメディア内データ格納領域の記録層に焦点を合わせて熱を加え、記録層を破壊することによってデータの消去を自動的に大量に行うターンテーブル式光ディスクメディア消去装置、方法及びプログラムを提供することを目的とする。
【課題を解決するための手段】
【００１０】
本発明は前記問題点を解決するために、光ディスクメディアのデータを消去するターンテーブル式光ディスクメディア消去装置において、円形のテーブルであり、回転するターンテーブルと、回転する前記ターンテーブル上に光ディスクメディアを１枚ずつ乗せるメディア投入機構と、光ビームスポットを現出し、回転する前記ターンテーブル上の光ディスクメディアに光ビームスポットを照射し、光ディスクメディア内の記録層を破壊することによってデータを消去し、光ディスクメディア自体を変形させる光ビームスポット部と、前記光ビームスポット部によりデータが消去され、変形された光ディスクメディアを回転する前記ターンテーブル上から外周側に順次押し出す押出し部と、前記押出し部により前記ターンテーブルから押出された光ディスクメディアをピックアップし排出するメディア排出機構と、前記光ビームスポット部により照射された光ディスクメディアの表面の温度を測定する温度センサ部と、前記温度センサ部により測定された前記光ビームスポット部の下を通過中の光ディスクメディアの表面温度が一定以上の場合は前記ターンテーブルの回転速度を早くし、逆に前記温度が一定以下の場合には前記ターンテーブルの回転速度を遅くする制御を行うターンテーブル制御部とを備えることを特徴とするターンテーブル式光ディスクメディア消去装置を提供する。
【００１１】
さらに、前記ターンテーブルの回転により前記光ビームスポット部は円形の光ディスクメディアの外周から中心部分の円形穴の内周を通過し、さらに、中心部分の円形穴の内周から外周を通過し光ディスクメディアに光ビームスポットを照射する。
さらに、前記メディア投入機構は、光ディスクメディアを乗せる位置を前記ターンテーブルの回転に伴って検出し、検出毎に一枚の光ディスクメディアを前記ターンテーブルに乗せる。
【００１２】
さらに、前記ターンテーブル上に設置された板で構成されるメディア押出し部により複数の光ディスクメディアを前記ターンテーブル上から外周側に順次押し出し排出する。
さらに、前記メディア排出機構は、前記ターンテーブルから押し出される光ディスクメディアをピックアップする回転機構と、前記回転機構によりピックアップされた光ディスクメディアを排出するための滑り台とを有し、前記回転機構は前記ターンテーブル側から前記滑り台に向かって回転し、ピックアップした光ディスクメディアを前記滑り台に乗せる回転体と、前記回転体を駆動するためのギアボックスとを有し、前記回転体の形状は四角形、三角形を含む多角形の任意の１つであり、前記回転体の材質はゴム等の光ディスクメディアに対して摩擦抵抗の大きな材質、又は、ゴム等の光ディスクメディアに対して摩擦抵抗の大きな材料をコーティングした材質であり、前記回転体の形状が円形状の場合、前記回転体にブラシを含む突起を付し、前記滑り台には光ディスクメディアのガイドが設けられ、前記ガイドは前記ターンテーブルから離れて前記メディア排出機構の排出側に行くほど狭くし、前記滑り台に取り付けたメディア排出センサが光ディスクメディアを検出する際に、光ディスクメディアの中央部の穴、中心部付近の透明な部分以外の部分が前記メディア排出センサを通過するようにする。
【００１３】
さらに、消去動作スタート時に前記ターンテーブル上の光ディスクメディアの数を格納し、前記ターンテーブルに乗せる光ディスクメディアを検出する毎に光ディスクメディアの数をカウントアップし、前記ターンテーブルから排出する光ディスクメディアを検出する毎にカウントダウンし、前記ターンテーブル上の光ディスクメディアの数が０になった場合には、前記光ビームスポット部の出力を停止し、前記ターンテーブルの回転を停止する。
【００１４】
さらに、動作モードデータベースを備え、前記動作モードデータベースは消去動作スタートからの前記ターンテーブル上に存在する光ディスクメディアの数を格納し、光ディスクメディアの数のカウントダウン又はカウントアップに使用される。
さらに、電源の投入により、前記ターンテーブルを１回転し、前記ターンテーブル上の光ディスクメディアを全て排出する。
【００１５】
さらに、消去動作スタートで、前記ターンテーブルの回転と同時に前記光ビームスポット部の出力を開始する。
さらに、本発明は、光ディスクメディアのデータを消去するターンテーブル式光ディスクメディア消去方法において、円形のテーブルであるターンテーブルを回転する工程と、回転するターンテーブル上に光ディスクメディアを１枚ずつ乗せる工程と、回転する前記ターンテーブル上の光ディスクメディアに光ビームスポットを照射し、光ディスクメディア内の記録層を破壊することによってデータを消去し、且つ、光ディスクメディア自体を変形させる工程と、データが消去され、且つ、変形された光ディスクメディアを前記ターンテーブル上から外周側に順次押し出された光ディスクメディアをピックアップし、排出する工程と、前記光ビームスポットを通過し光ビームスポットが照射される光ディスクメディアの表面の温度を測定する工程と、通過中の光ディスクメディアの表面の温度が一定以上の場合には前記ターンテーブルの回転速度を早くし、若しくは、通過中の光ディスクメディアの表面の温度が一定以下の場合には前記ターンテーブルの回転速度を遅くし、又は、通過中の光ディスクメディアの表面の温度が一定以上の場合には前記光ビームスポット部の出力を下げ、又は、通過中の光ディスクメディアの表面の温度が一定以下の場合には前記光ビームスポット部の出力を上げ、さらに、通過中の光ディスクメディアの表面の温度が一定以上の場合に前記ターンテーブルの回転速度を早くすることにより、通過中の光ディスクメディアの表面の温度が降下し上限温度以下の場合には前記光ビームスポット部の出力をさげ、又は、通過中の光ディスクメディアの表面の温度が一定以下の場合に前記ターンテーブルの回転速度を遅くすることにより、通過中の光ディスクメディアの表面の温度が上昇し下限温度以上の場合には前記光ビームスポット部の出力を上げるように前記ターンテーブルの回転速度及び前記光ビームスポット部の出力を制御し、光ディスクメディアの表面の温度を最適温度付近に安定させる工程と、前記光ディスクメディアの表面の温度が一定時間内に一定の温度範囲に入らない場合、前記ターンテーブルの回転速度を早くしても通過中の光ディスクメディアの表面の温度が降下せず、又は、前記ターンテーブルの回転速度を遅くしても通過中の光ディスクメディアの表面の温度が上昇しない場合、さらに、前記ターンテーブルの回転速度を早くし通過中の光ディスクメディアの表面の温度が降下しても上限温度以下にならず、又は、前記ターンテーブルの回転速度を遅くし通過中の光ディスクメディアの表面の温度が上昇しても下限温度以上にならない場合には前記光ビームスポット部の出力、前記ターンテーブルの回転、メディア排出機構の動作を停止する工程とを備えることを特徴とするターンテーブル式光ディスクメディア消去方法を提供する。
【００１６】
さらに、ターンテーブル式光ディスクメディア消去方法において、動作モードデータベースに前記ターンテーブルの標準回転速度、下限回転速度及び上限回転速度、前記光ビームスポット部の標準出力、下限出力及び上限出力、並びに光ディスクメディアの消去標準温度、下限温度及び上限温度を格納する工程を備え、前記ターンテーブルの回転速度、前記光ビームスポット部の出力の制御に使用される。
【００１７】
光ディスクメディアのデータを消去するターンテーブル式光ディスクメディア消去プログラムにおいて、円形のテーブルであるターンテーブルを回転する手順と、回転するターンテーブル上に光ディスクメディアを１枚ずつ乗せる手順と、回転する前記ターンテーブル上の光ディスクメディアに光ビームスポットを照射し、光ディスクメディア内の記録層を破壊することによってデータを消去し、且つ、光ディスクメディア自体を変形させる手順と、データが消去され、且つ、変形された光ディスクメディアを前記ターンテーブル上から外周側に順次押し出された光ディスクメディアをピックアップし、排出する手順と、前記光ビームスポットを通過し光ビームスポットが照射される光ディスクメディアの表面の温度を測定する工程と、通過中の光ディスクメディアの表面の温度が一定以上の場合には前記ターンテーブルの回転速度を早くし、若しくは、通過中の光ディスクメディアの表面の温度が一定以下の場合には前記ターンテーブルの回転速度を遅くし、又は、通過中の光ディスクメディアの表面の温度が一定以上の場合には前記光ビームスポット部の出力を下げ、又は、通過中の光ディスクメディアの表面の温度が一定以下の場合には前記光ビームスポット部の出力を上げ、さらに、通過中の光ディスクメディアの表面の温度が一定以上の場合に前記ターンテーブルの回転速度を早くすることにより、通過中の光ディスクメディアの表面の温度が降下し上限温度以下の場合には前記光ビームスポット部の出力をさげ、又は、通過中の光ディスクメディアの表面の温度が一定以下の場合に前記ターンテーブルの回転速度を遅くすることにより、通過中の光ディスクメディアの表面の温度が上昇し下限温度以上の場合には前記光ビームスポット部の出力を上げるように前記ターンテーブルの回転速度及び前記光ビームスポット部の出力を制御し、光ディスクメディアの表面の温度を最適温度付近に安定させる工程と、前記光ディスクメディアの表面の温度が一定時間内に一定の温度範囲に入らない場合、前記ターンテーブルの回転速度を早くしても通過中の光ディスクメディアの表面の温度が降下せず、又は、前記ターンテーブルの回転速度を遅くしても通過中の光ディスクメディアの表面の温度が上昇しない場合、さらに、前記ターンテーブルの回転速度を早くし通過中の光ディスクメディアの表面の温度が降下しても上限温度以下にならず、又は、前記ターンテーブルの回転速度を遅くし通過中の光ディスクメディアの表面の温度が上昇しても下限温度以上にならない場合には前記光ビームスポット部の出力、前記ターンテーブルの回転、メディア排出機構の動作を停止する工程とを備えることを特徴とするターンテーブル式光ディスクメディア消去プログラムを提供する。
【００１８】
さらに、前記ターンテーブル式光ディスクメディア消去プログラムにおいて、動作モードデータベースに前記ターンテーブルの標準回転速度、下限回転速度及び上限回転速度、前記光ビームスポット部の標準出力、下限出力及び上限出力、並びに光ディスクメディアの消去標準温度、下限温度及び上限温度を格納する工程を備え、前記ターンテーブルの回転速度、前記光ビームスポット部の出力の制御に使用される。１２
【発明の効果】
【００１９】
以上説明したように、本発明によれば、円形のテーブルであるターンテーブルを回転し、回転するターンテーブル上に光ディスクメディアを１枚ずつ乗せ、回転する前記ターンテーブル上の光ディスクメディアに光ビームスポットを照射し、光ディスクメディア内の記録層を破壊することによってデータを消去し、且つ、光ディスクメディア自体を変形させ、データが消去され、且つ、変形された光ディスクメディアを前記ターンテーブル上から外周側に順次押し出された光ディスクメディアをピックアップし、排出するようにしたので、連続して大量の光ディスクメディアを消去することが可能になり、且つ、動作スタート後は、作業者が別の作業を行うことが出来る。
【００２０】
さらに、本発明では、簡単な構造であるターンテーブル方式により一度に大量に光ディスクメディアを消去可能にする光ディスクメディア消去装置を実現し、また他の機能を付けずに消去機能だけに絞ることにより、安価な価格が実現可能となった。
また、光ディスクメディアを消去したことの証拠を示す必要がある場合、シュレッダー等による破砕では、その細かくなった破片をもって、消去対象の光ディスクメディアである証拠とすることは難しいが、本発明の方法では、光ディスクメディアそのものは破砕されず、対象の光ディスクメディアと光ビームスポットによってその記録面が変形されていることの対応が一目で判定でき証拠能力は高い。
【発明を実施するための最良の形態】
【００２１】
以下、本発明の実施の形態について図面を参照して説明する。
図１は本発明に係るターンテーブル式光ディスクメディア消去装置の概略構成を示すブロック図であり、図２は図１のターンテーブル式光ディスクメディア消去装置の主要な外観を示す図である。
図１に示すように、ターンテーブル式光ディスクメディア消去装置１００は、光ビームスポット部１０１、光ビーム出力制御部１０２、温度センサ部１０３、ターンテーブル１０４と、ターンテーブル制御部１０５、テーブル位置センサ１０６、メディア投入機構１０７、メディア投入センサ１０８、メディア排出機構１０９、メディア排出センサ１１０、メディア押出し部１１１、動作モード選択スイッチ（ＳＷ）１１２、動作モード表示部１１３、動作モードデータベース（ＤＢ）１１４、メモリ部１１５、ＡＣ電源１１７に接続される電源部１１６及び制御部（ＣＰＵ）１１８により構成されている。以下に、図１の構成部分について、図２のターンテーブル式光ディスクメディア消去装置の主要な外観図を参照し、説明を行う。
【００２２】
光ビームスポット部１０１は、高出力のハロゲン／キセノン等の光ビーム光源から発生した光を回転楕円曲面反射鏡等を用いて集光することで焦点位置に高熱のハロゲン／キセノン等の光ビームスポットを現出する、光ビームスポットヒーターであり、光ビームスポットを光ディスクメディア１２０に照射し、光ディスクメディア１２０内のデータ格納領域の記録層のピットを破壊することによってデータを消去し、また、光ディスクメディア１２０自体を変形させる際に使用される。
【００２３】
光ビーム出力制御部１０２は、光ビームスポット部１０１を制御する制御回路であり、光ビームスポット部１０１の出力制御やＯＮ／ＯＦＦの制御等を行う際に使用される。
温度センサ部１０３は、高温（一例として最大３００℃）測定可能な温度センサであり、光ビーム出力位置で光ビームスポットにより照射された光ディスクメディア１２０の表面の温度を測定する際に使用される。
【００２４】
ターンテーブル１０４は、ターンテーブル制御部１０５により指定された回転速度で回転し、テーブル位置センサ１０６により検出されるセンサフラグがテーブル裏面に等間隔に設置された、一例としてテーブルが直径３６０ｍｍの円形の耐熱板であるターンテーブルであり、メディア投入機構１０７により乗せられた光ディスクメディア１２０を光ビームスポット部１０１の下を通過させ、光ディスクメディア１２０自体を変形させ、光ディスクメディア１２０のデータを消去し、メディア押出し部１１１により外周側よりはみ出させてメディア排出機構１０９へ送る際に使用される。
【００２５】
ターンテーブル制御部１０５は、温度センサ部１０３により測定された光ビームスポット部１０１の下を通過中の光ディスクメディア１２０の表面の温度が、一定以上の場合はターンテーブル１０４の回転速度を速くし、逆に温度が一定以下の場合は、ターンテーブル１０４の回転速度を遅くする制御を行う。
テーブル位置センサ１０６は、リードスイッチや磁気センサ等であり、ターンテーブル１０４に複数の光ディスクメディア１２０を乗せる位置としてターンテーブル１０４のテーブル裏面に等間隔で設置された複数のセンサフラグ（一例として磁石等、図示しない）に対して、動作スタート後ターンテーブル１０４の回転に伴ってセンサフラグを検出すると、制御部（ＣＰＵ）１１８がメディア投入機構１０７へ１枚の光ディスクメディア１２０をターンテーブル１０４上に乗せるタイミングの指示を送る際に使用される。
【００２６】
メディア投入機構１０７は、最大１００枚程度積み重ねた光ディスクメディア１２０を一枚ずつスライドさせることにより、ターンテーブル１０４上へ乗せることが出来るメカ機構であり、制御部（ＣＰＵ）１１８より指示を受けると、光ディスクメディア１２０を１枚ターンテーブル１０４へ乗せる際に使用される。
メディア投入センサ１０８は、光ディスクメディア１２０の通過を検出するフォトセンサであり、メディア投入機構１０７からターンテーブル１０４へ光ディスクメディア１２０を一枚乗せる際に検出し制御部（ＣＰＵ）１１８へ報告し、報告を受けた制御部（ＣＰＵ）１１８が動作モードＤＢ１１４内に格納された光ディスクメディア１２０の数をカウントアップする際に使用される。
【００２７】
メディア排出機構１０９は、メディア押出し部１１１によってターンテーブル１０４から押し出された光ディスクメディア１２０をピックアップするための回転機構と、回転機構によってピックアップされた光ディスクメディア１２０を排出先のトレーや箱に投入するための滑り台で構成され、光ディスクメディア１２０を１枚ターンテーブル１０４から排出する際に使用される。
【００２８】
メディア排出センサ１１０は、メディア排出機構１０９の滑り台にある光ディスクメディア１２０の通過を検出するフォトセンサであり、メディア排出機構１０９上を光ディスクメディア１２０が滑り落ちる際に検出し、制御部（ＣＰＵ）１１８へ報告し、報告を受けた制御部（ＣＰＵ）１１８が動作モードデータベース（ＤＢ）１１４内に格納された光ディスクメディア１２０の数をカウントダウンする際に使用される。
【００２９】
メディア押出し部１１１は、ターンテーブル１０４上に設置された板であり、ターンテーブル１０４の回転により、光ディスクメディア１２０をメディア排出機構１０９の方（外周方向）へ押し出す際に使用される。
動作モード選択スイッチ（ＳＷ）１１２は、押しボタン等を使用したスイッチであり、動作モードを選択する際、及び消去動作をスタートする際に使用される。
【００３０】
動作モード表示部１１３は、７セグメントＬＥＤ（発光ダイオード)や液晶ディスプレイ等の表示回路であり、動作モード選択スイッチ（ＳＷ）１１２の状態を監視し、動作モード及び動作結果等を表示する際に使用される。
動作モードデータベース（ＤＢ）１１４は、ターンテーブル式光ディスクメディア消去装置１００の消去動作モード及び光ディスクメディアの数カウントモードのデータを格納する。
【００３１】
メモリ部１１５は、制御部（ＣＰＵ）１１８が直接読み書きできるＲＡＭ（ランダム・アクセス・メモリ）やＲＯＭ（リード・オンリ・メモリ）などの半導体記憶装置であり、動作モードデータベース（ＤＢ）１１４を有し、動作モードや各部からの情報等の一時格納に使用される。
電源部１１６は、交流（ＡＣ）電源１１７の入力から直流（ＤＣ）へ変換するパワーサプライ等であり、各モジュールへ電源を供給する際に使用される。
【００３２】
制御部（ＣＰＵ）１１８は、マイクロプロセッサ等で構成されている中央処理装置（ＣＰＵ）であり、光ビームスポット部１０１、光ビーム出力制御部１０２、温度センサ部１０３、ターンテーブル制御部１０５、テーブル位置センサ１０６、メディア投入機構１０７、メディア投入センサ１０８、メディア排出機構１０９、メディア排出センサ１１０、動作モード選択スイッチ（ＳＷ）１１２、動作モード表示部１１３、メモリ部１１５等を含むターンテーブル式光ディスクメディア消去装置１００に対して、動作モードデータベース（ＤＢ）１１４内の動作モード情報及び光ディスクメディア１２０の数を基に、以下の主要な制御を行う。
【００３３】
制御部（ＣＰＵ）１１８では、電源が投入されるとターンテーブル１０４を１回転し、ターンテーブル１０４上の光ディスクメディア１２０を全て排出する制御を行う。
制御部（ＣＰＵ）１１８では、動作モード選択スイッチ（ＳＷ）１１２により動作モードを選択後、動作をスタートさせると、ターンテーブル１０４の回転と同時に光ビームスポット部１０１の出力を開始する制御を行う。
【００３４】
さらに、制御部（ＣＰＵ）１１８では、ターンテーブル１０４のテーブル裏側に等間隔で設置されたセンサフラグをテーブル位置センサ１０６が検出するとメディア投入機構１０７により光ディスクメディア１２０を１枚ターンテーブル１０４上に乗せる制御を行う。
さらに、制御部（ＣＰＵ）１１８は、メディア投入センサ１０８が光ディスクメディア１２０を検出すると、動作モードデータベース（ＤＢ）１１４内に格納している光ディスクメディア１２０の数をカウントアップし、メディア排出センサ１１０が光ディスクメディア１２０を検出すると、光ディスクメディア１２０の数をカウントダウンし、光ディスクメディアの数が“０”になると光ビームスポット部１０１の出力を停止後、ターンテーブル１０４の回転を停止し、動作を終了する制御を行う。
【００３５】
さらに、制御部（ＣＰＵ）１１８では、温度センサ部１０３により、光ビームスポット部１０１の下を通過中の光ディスクメディア１２０の表面の温度を測定し、ターンテーブル１０４の回転速度及び光ビームスポット部１０１の出力を制御することにより、光ディスクメディア１２０の温度を最適温度（本実施例の場合、１５０℃）付近で安定させる制御を行う。
【００３６】
さらに、制御部（ＣＰＵ）１１８では、温度センサ部１０３により、光ビームスポット部１０１の下を通過中の光ディスクメディア１２０の表面の温度を監視し、光ディスクメディア１２０の表面の温度が上限温度（本実施例の場合、２００℃）以上または下限温度（本実施例の場合８０℃）以下の場合、またはターンテーブル１０４の回転速度の出力変更により光ディスクメディア１２０の表面の温度変化がない場合、または光ビームスポット部１０１の出力変更により一定時間（一例として光ディスクメディア１２０が光ビームスポット部１０１配下に入ってから１秒）内に光ディスクメディア１２０の表面の温度が最適温度（本実施例の場合、１５０℃）近辺とならない場合に装置を停止させる制御を行う。
【００３７】
図３は図２におけるターンテーブル１０４上の光ディスクメディアの動き及び消去箇所の例を示した図である。本図に示すように、ターンテーブル１０４上に乗せられ、ターンテーブル１０４の回転により、光ディスクメディア１２０が光ビームスポット部１０１に向かって動き、光ビームスポット部１０１の下を通過すると、光ディスクメディア１２０の通過部分の記録層のピットが破壊されることによってデータが消去され、さらに、光ディスクメディア１２０が変形し、メディア押出し部１１１によりメディア排出機構の方向に移動し、データが消され、変形された光ディスクメディア１２０が排出される。
【００３８】
図４は図３における光ビームスポット部１０１の照射順序の例を示す図である。本図（ａ）に示すように、円形の光ディスクメディア１２０の中心部分には円形の穴があり、ターンテーブル１０４の回転により光ビームスポット部１０１が円形の光ディスクメディア１２０の外周１２０Ｂから中心部分の円形穴の内周１２０Ｃを通過し、本図（ｂ）に示すように、光ビームスポット部１０１が光ディスクメディア１２０の円形穴の内周１２０Ｃから外周１２０Ｂを通過する。光ビームスポット部１０１の通過により、通過した光ディスクメディア内データ格納領域の記録層に焦点を合わせて熱が加えられ、記録層のピットの破壊が行われることによって、光ディスクメディア１２０のデータの消去が行われ、且つ、光ディスクメディア１２０の変形が行われる。
【００３９】
図５は図２又は図３におけるメディア排出機構１０９の詳細を説明する図である。本図に示すように、メディア排出機構１０９の回転機構１０９Ｂは、回転体１０９Ｃと回転体１０９Ｃを駆動させるためのギアボックス１０９Ｄで構成され、回転体１０９Ｃはターンテーブル１０４側から滑り台１０９Ａへ向かって回転し、光ディスクメディア１２０をピックアップし排出する。
本図（ａ）では、回転体１０９Ｃの材質と形状は、光ビームスポット部１０１によって歪曲した光ディスクメディア１２０を確実にピックアップし、かつ滑り台１０９Ａに勢いよく乗せるため、ゴム等の光ディスクメディアに対して摩擦抵抗の大きく滑らない材質、又は、ゴム等の光ディスクメディアに対して摩擦抵抗の大きく滑らない材料をコーティングした材質で、四角形であり、三角形などの多角形でもよく、円形（ローラー）以外のものとしている。
【００４０】
円形の場合には、光ビームスポット部１０１を当ていない平らな光ディスクメディア１２０であれば回転体１０９Ｃの表面との接触面が多くかつ連続的に接触するのでピックアップすることができるが、光ビームスポット部１０１によって歪曲した光ディスクメディア１２０Ａでは回転体表面と接触する部分が不連続となり接触面が小さくなるので空すべりしピックアップすることができない。
【００４１】
四角形の回転体１０９Ｃの場合、先のとがった摩擦の大きな部分で連続的に引き寄せる形となり、確実にピックアップすることができる。
本図（ｂ）に示すように、単なる円形（ローラー）の回転体の場合、円形（ローラー）状のものにブラシや突起を付してあるものならば良い。ブラシや突起の摩擦の大きな部分で連続的に引き寄せる形となり、確実にピックアップすることができるためである。
【００４２】
メディア排出機構１０９の滑り台１０９Ａは、自然落下を利用したもので、光ディスクメディア１２０を滑らせるもので、滑り台１０９Ａには取り付けたメディア排出センサ１１０が確実に光ディスクメディア１２０を検出するための位置決め用のガイド１０９Ｅが設けられる。
なお、滑り台１０９Ａの材質は摩擦が少ないＰＰ（ポリプロピレン）板等であり、ガイド１０９Ｅは特にそれ自身の形状を保てるものであればどのようなものでも良い。
【００４３】
メディア排出機構１０９のガイド１０９Ｅはメディア排出機構１０９の排出側に行くほど狭くなるようにする。
メディア排出センサ１１０の取り付け位置との関係は、例えば図３のように、光ディスクメディア１２０がメディア排出機構１０９に向かって右よりの滑り台１０９Ａのガイド１０９Ｅに沿って滑ってきたときには、光ディスクメディア１２０の周縁部でメディア排出センサ１１０が検出でき、かつ光ディスクメディア１２０がメディア排出機構１０９に向かって左よりの滑り台１０９Ａのガイド１０９Ｅに沿って滑ってきたときには、光ディスクメディア１２０の中心部の穴及び中心付近の透明でメディア排出センサ１１０が検知できない部分にかからないような位置とサイズとする。この位置関係にするのは、光ディスクメディア１２０の中心部の穴及び中心付近の透明がメディア排出センサ１１０を通った場合、１枚の光ディスクメディア１２０が通過したのにかかわらず、２枚通過であると重複して検出するのを防ぐためである。
【００４４】
図６は図１における動作モードデータベース（ＤＢ）１１４に格納されるデータ例を説明する図である。本図に示すように、動作モードデータベース（ＤＢ）１１４は、ターンテーブル式光ディスクメディア消去装置１００の消去動作モード及び光ディスクメディアの数カウントモードのデータを格納する。
消去動作モードでは、標準動作パラメータ、一例としてターンテーブル１０４の標準回転速度、下限回転速度及び上限回転速度、光ビームスポットの標準出力、下限出力及び上限出力、並びに光ディスクメディア消去最適温度、下限温度及び上限温度等が関連付けて格納され、データベース化されており、光ディスクメディア１２０の温度によって各パラメータを変更しつつ動作を行う際に使用される。
【００４５】
光ディスクメディアの数カウントモードでは、消去動作スタートから光ディスクメディア１２０の数が格納され、メディア投入センサ１０８検出時にはカウントアップされる際に使用され、メディア排出センサ１１０検出時にはカウントダウンされる際に使用される。
図７は図１におけるターンテーブル式光ディスクメディア消去装置の制御部（ＣＰＵ）１１８の一連の概略制御動作例（その１）を説明するフローチャートである。本図に示すように、ステップＡ１において、ターンテーブル式光ディスクメディア消去装置１００の制御部（ＣＰＵ）１１８では、電源が投入されるとターンテーブル１０４を１回転し、ターンテーブル１０４上の光ディスクメディア１２０を全て排出する制御を行う。
【００４６】
ステップＡ２において、制御部（ＣＰＵ）１１８では、動作モード選択スイッチ（ＳＷ）１１２により動作モードを選択後、動作をスタートさせる制御を行う。
ステップＡ３において、制御部（ＣＰＵ）１１８では、動作をスタートさせると動作モードデータベース（ＤＢ）１１４からターンテーブル１０４の標準回転速度、光ビームスポット部１０１の標準出力値等をメモリ部１１５へ読み込み後、読み込んだ値を基にターンテーブル１０４の回転と同時に光ビームスポット部１０１の出力、及びメディア排出機構１０９の動作を開始する制御を行う。
【００４７】
ステップＡ４において、制御部（ＣＰＵ）１１８では、ターンテーブル１０４のテーブル裏側に等間隔で設置された複数のセンサフラグの各々をテーブル位置センサ１０６が検出する制御を行う。
ステップＡ５において、制御部（ＣＰＵ）１１８では、センサフラグを検出するとメディア投入機構１０７により光ディスクメディア１２０を１枚ターンテーブル１０４上に乗せる制御を行う。
【００４８】
ステップＡ６において、制御部（ＣＰＵ）１１８では、メディア投入センサ１０８がターンテーブル１０４に乗せる光ディスクメディア１２０を検出する制御を行う。検出できない場合には異常終了とする。
ステップＡ７において、制御部（ＣＰＵ）１１８では、メディア投入センサ１０８がターンテーブル１０４に乗せる光ディスクメディア１２０を検出すると、動作モードデータベース（ＤＢ）１１４内に格納している光ディスクメディア１２０の数をカウントアップする制御を行う。
【００４９】
ステップＡ８において、制御部（ＣＰＵ）１１８では、光ディスクメディア１２０が光ビームスポット部１０１の下を通過するのを待つ。
ステップＡ９において、通過すると、温度センサ部１０３により、光ディスクメディア１２０の表面の温度を測定する制御を行う。
ステップＡ１０において、測定された光ディスクメディア１２０の表面の温度Ｘが、
Ｘ＜最適温度−２０℃、
最適温度−２０℃≦Ｘ≦最適温度＋２０℃、
又は、
最適温度＋２０℃＜Ｘ
のいずれの範囲にあるかを確認する制御を行う。
Ｘ＜最適温度−２０℃
の場合は図８のステップＢ１に進み、
最適温度−２０℃≦Ｘ≦最適温度＋２０℃
の場合は図９のＣ１に進み、
最適温度＋２０℃＜Ｘ
の場合は図１０のステップＤ１に進む。
【００５０】
図８は図１におけるターンテーブル式光ディスクメディア消去装置の制御部（ＣＰＵ）１１８の一連の概略制御動作例（その２）を説明するフローチャートである。本図に示すように、ステップＢ１において、制御部（ＣＰＵ）１１８では、光ディスクメディア１２０の温度が動作モードデータベース（ＤＢ）１１４内の光ディスクメディア最適温度Ｘ（本実施例の場合、１５０℃）より２０℃以上低い範囲の場合（ステップＡ１０：Ｘ＜最適温度−２０℃）、ターンテーブル１０４の回転速度を動作モードデータベース（ＤＢ）１１４内のターンテーブル１０４の下限回転速度まで落とす制御を行う。
【００５１】
ステップＢ２において、制御部（ＣＰＵ）１１８では、光ディスクメディア１２０の表面温度の上昇があるか確認する制御を行い、確認できない場合には異常終了とする。
ステップＢ３において、制御部（ＣＰＵ）１１８では、温度が上昇している場合で、その表面温度が動作モードＤＢ１１４内の光ディスクメディア１２０の消去下限温度（本実施例の場合、８０℃）よりも高いかを確認する制御を行う。確認できない場合には異常終了とする。
【００５２】
ステップＢ４において、制御部（ＣＰＵ）１１８では、高い場合は、次に光ビームスポット部１０１の出力を動作モードＤＢ１１４内の光ビーム上限出力の範囲内で上げつつ光ディスクメディア１２０の温度を測定する制御を行う。
ステップＢ５において、制御部（ＣＰＵ）１１８では、一定時間内に動作モードデータベース（ＤＢ）１１４内の光ディスクメディア１２０の最適温度（本実施例の場合、１５０℃）±２０℃まで上昇したかを確認する制御を行う。上昇を確認できない場合には異常終了とする。
【００５３】
ステップＢ６において、制御部（ＣＰＵ）１１８では、上昇を確認できた場合、光ディスクメディア１２０が光ビームスポット部１０１配下を通過するかを確認する。通過するまで光ビームスポット部１０１の出力を調整しつつ、最適温度（本実施例の場合、１５０℃）±２０℃を維持する制御を行う。
以上を要約すると、ターンテーブル式光ディスクメディア消去装置１００の制御部（ＣＰＵ）１１８では、ターンテーブル１０４の回転速度を動作モードデータベース（ＤＢ）１１４内のターンテーブル１０４の下限回転速度まで落とし（ステップＢ１）、光ディスクメディア１２０の表面温度の上昇があるか確認し、表面温度が上昇していない場合（ステップＢ２）、または上昇しているがその表面温度が動作モードデータベース（ＤＢ）１１４内の光ディスクメディア消去下限温度（本実施例の場合、８０℃）よりも低い場合（ステップＢ３）、または上昇しているが一定時間内に最適温度（本実施例の場合、１５０℃）±２０℃まで上昇しない場合（ステップＢ５）は、異常終了として光ビームスポット部１０１の出力、ターンテーブル１０４の回転、及びメディア排出機構１０９の動作を停止する制御を行う。
【００５４】
ステップＢ７において、制御部（ＣＰＵ）１１８では、光ディスクメディア１２０が光ビームスポット部１０１配下を通過し終わると、ターンテーブル１０４の回転速度及び光ビームスポット部１０１の出力を、動作モードデータベース（ＤＢ）１１４内の標準回転速度及び標準出力にそれぞれ戻す制御を行う。
ステップＢ８において、制御部（ＣＰＵ）１１８では、ターンテーブル１０４の回転とメディア押出し部１１１により、光ディスクメディア１２０がターンテーブル１０４の外周方向へ押し出されると、メディア排出機構１０９内の四角の回転機構により光ディスクメディア１２０を持ち上げ、メディア排出機構１０９下部にある滑り台１０９Ａへ運び、滑り台１０９Ａを滑らせることにより、メディア排出機構１０９下部の滑り台１０９Ａに設置しているメディア排出センサ１１０で検出する制御を行う。
【００５５】
ステップＢ９において、制御部（ＣＰＵ）１１８では、検出されると、動作モードデータベース（ＤＢ）１１４内に格納している光ディスクメディア数をカウントダウンする制御を行う。
ステップＢ１０において、制御部（ＣＰＵ）１１８では、動作モードＤＢ１１４内に格納している光ディスクメディア数が“０枚”となった場合光ビームスポット部１０１の出力、ターンテーブル１０４の回転、及びメディア排出機構１０９の動作を停止する制御を行う。
【００５６】
制御部（ＣＰＵ）１１８では、動作モードデータベース（ＤＢ）１１４内に格納している光ディスクメディア１２０の数が“１枚”以上の場合、ステップＡ４（図７参照）に戻って動作を繰り返す制御を行う。
図９は図１におけるターンテーブル式光ディスクメディア消去装置の制御部（ＣＰＵ）１１８の一連の概略制御動作例（その３）を説明するフローチャートである。本図に示すように、ステップＣ１において、制御部（ＣＰＵ）１１８では、ステップＡ１０（図７参照）で光ディスクメディア１２０の表面温度Ｘが動作モードデータベース（ＤＢ）１１４内の光ディスクメディア最適温度（本実施例の場合、１５０℃）±２０℃の範囲の場合（ステップＡ１０：最適温度−２０℃≦Ｘ≦最適温度＋２０℃）光ディスクメディアが光ビームスポット部１０１配下を通過するまで動作モードデータベース（ＤＢ）１１４内の光ビームスポット部１０１の上限出力から下限出力までの間で光ビームスポット部１０１の出力を調整しつつ、最適温度（本実施例の場合、１５０℃）±２０℃の範囲を維持する制御を行う。
【００５７】
ステップＣ２において、制御部（ＣＰＵ）１１８では、ターンテーブル１０４の回転とメディア押出し部１１１により、光ディスクメディア１２０がターンテーブル１０４の外周方向へ押し出されると、メディア排出機構１０９内の四角の回転機構１０９Ｂにより光ディスクメディア１２０を持ち上げ、メディア排出機構１０９下部にある滑り台１０９Ａへ運び、滑り台１０９Ａを滑らせることにより、メディア排出機構１０９下部の滑り台１０９Ａに設置しているメディア排出センサ１１０で検出する制御を行う。
【００５８】
ステップＣ３において、制御部（ＣＰＵ）１１８では、検出されると、動作モードデータベース（ＤＢ）１１４内に格納している光ディスクメディア１２０の数をカウントダウンする制御を行う。
ステップＣ４において、制御部（ＣＰＵ）１１８では、動作モードデータベース（ＤＢ）１１４内に格納している光ディスクメディア１２０の数が“０枚”となった場合光ビームスポット部１０１の出力、ターンテーブル１０４の回転、及びメディア排出機構１０９の動作を停止する制御を行う。
【００５９】
制御部（ＣＰＵ）１１８では、動作モードデータベース（ＤＢ）１１４内に格納している光ディスクメディア１２０の数が“１枚”以上の場合ステップＡ４（図７参照）に戻って動作を繰り返す制御を行う。
図１０は図１におけるターンテーブル式光ディスクメディア消去装置の制御部（ＣＰＵ）１１８の一連の概略制御動作例（その４）を説明するフローチャートである。本図に示すように、ステップＤ１において、制御部（ＣＰＵ）１１８では、ステップＡ１０（図７参照）で光ディスクメディア１２０の表面温度Ｘが動作モードデータベース（ＤＢ）１１４内の光ディスクメディア１２０の最適温度（本実施例の場合、１５０℃）＋２０℃以上の範囲の場合（ステップＡ１０：最適温度＋２０℃＜Ｘ）、ターンテーブル１０４の回転速度を動作モードデータベース（ＤＢ）１１４内のターンテーブル１０４の上限回転速度まで上げる制御を行う。
【００６０】
ステップＤ２において、制御部（ＣＰＵ）１１８では、光ディスクメディア１２０の表面温度の低下があるか確認する制御を行う。温度が低下していない場合には異常終了とする。
ステップＤ３において、制御部（ＣＰＵ）１１８では、温度が低下している場合で、その表面温度が動作モードデータベース（ＤＢ）１１４内の光ディスクメディア１２０の消去上限温度（本実施例の場合、２００℃）よりも低いかを確認する制御を行う。確認できない場合には異常終了とする。
【００６１】
ステップＤ４において、制御部（ＣＰＵ）１１８では、低い場合は、次に光ビームスポット部１０１の出力を動作モードデータベース（ＤＢ）１１４内の光ビーム下限出力の範囲内で下げる制御を行う。
ステップＤ５において、制御部（ＣＰＵ）１１８では、出力を下げつつ光ディスクメディアの温度を測定し、一定時間内に動作モードデータベース（ＤＢ）１１４内の光ディスクメディア最適温度（本実施例の場合、１５０℃）±２０℃の範囲まで低下したかを確認する制御を行う。確認できない場合には異常終了とする。
【００６２】
ステップＤ６において、制御部（ＣＰＵ）１１８では、低下した場合、光ディスクメディア１２０が光ビームスポット部１０１配下を通過するまで光ビームスポット部１０１の出力を調整しつつ、最適温度（本実施例の場合、１５０℃）±２０℃の範囲を維持する制御を行う。
以上を要約すると、制御部（ＣＰＵ）１１８では、ターンテーブル１０４の回転速度を動作モードデータベース（ＤＢ）１１４内のターンテーブル１０４の上限回転速度まで上げ（ステップＤ１）、光ディスクメディア１２０の表面温度の低下があるか確認し、表面温度が低下していない場合（ステップＤ２）、または低下しているがその表面温度が動作モードデータベース（ＤＢ）１１４内の光ディスクメディア１２０の消去上限温度（本実施例の場合、２００℃）よりも高い場合（ステップＤ３）、または低下しているが一定時間内に最適温度（本実施例の場合、１５０℃）±２０℃の範囲まで低下しない場合（ステップＤ５  Ｎｏ）は、異常終了として光ビームスポット部１０１の出力、ターンテーブル１０４の回転、及びメディア排出機構１０９の動作を停止する制御を行う。
【００６３】
ステップＤ７において、制御部（ＣＰＵ）１１８では、光ディスクメディア１２０が光ビームスポット部１０１配下を通過し終わると、ターンテーブル１０４の回転速度及び光ビームスポット部１０１の出力を、動作モードデータベース（ＤＢ）１１４内の標準回転速度及び標準出力にそれぞれ戻す制御を行う。
ステップＤ８において、制御部（ＣＰＵ）１１８では、ターンテーブル１０４の回転とメディア押出し部１１１により、光ディスクメディア１２０がターンテーブル１０４の外周方向へ押し出されると、メディア排出機構１０９内の四角の回転機構１０９Ｂにより光ディスクメディア１２０を持ち上げ、メディア排出機構１０９下部にある滑り台１０９Ａへ運び、滑り台１０９Ａを滑らせることにより、メディア排出機構１０９下部の滑り台１０９Ａに設置しているメディア排出センサ１１０で検出する制御を行う。
ステップＤ９において、制御部（ＣＰＵ）１１８では、検出した場合には動作モードデータベース（ＤＢ）１１４内に格納している光ディスクメディア１２０の数をカウントダウン（ステップＤ９）する制御を行う。
【００６４】
ステップＤ１０において、制御部（ＣＰＵ）１１８では、動作モードデータベース（ＤＢ）１１４内に格納している光ディスクメディア１２０の数が“０枚”となった場合、光ビームスポット部１０１の出力、ターンテーブル１０４の回転、及びメディア排出機構１０９の動作を停止する制御を行う。
制御部（ＣＰＵ）１１８では、動作モードモードデータベース（ＤＢ）１１４内に格納している光ディスクメディア１２０の数が“１枚”以上の場合、ステップＡ４（図７参照）に戻って動作を繰り返す制御を行う。
【００６５】
したがって、本発明によれば、メディア投入機構が格納された大量の光ディスクメディアを一枚ずつターンテーブル上に乗せる機能、及びターンテーブルが回転することにより光ディスクメディアがハロゲン／キセノン等の光ビームスポットの下を通過しデータ格納領域の一部が破壊されることによってデータが消去され、さらに、光ディスクメディアが変形され、光ディスクドライブへ投入できない状態とした上でメディア排出部により光ディスクメディアをターンテーブル上から押し出しメディア排出機構により光ディスクメディアを装置から排出する機能を用い、連続して大量の光ディスクメディアを消去出来る様にすることにより、動作スタート後は、作業者が別の作業を行うことが出来る。
【００６６】
さらに、本発明では、簡単な構造であるターンテーブル方式による光ディスクメディア消去装置を実現し、また他の機能を付けずに消去機能だけに絞ることにより、一度に大量に光ディスクメディアを消去可能で、且つ価格も安価である。
また、光ディスクメディアを消去したことの証拠を示す必要がある場合、シュレッダー等による破砕では、その細かくなった破片をもって、消去対象の光ディスクメディアである証拠とすることは難しいが、本発明の方法では、光ディスクメディアそのものは破砕されず、対象の光ディスクメディアと光ビームスポットによってその記録面が破壊されることによってデータが消去されていることの対応が一目で判定でき証拠能力は高い。
【図面の簡単な説明】
【００６７】
【図１】本発明に係るターンテーブル式光ディスクメディア消去装置の概略構成を示すブロック図である。
【図２】図１のターンテーブル式光ディスクメディア消去装置の主要な外観を示す図である。
【図３】図２におけるターンテーブル１０４上の光ディスクメディアの動き及び消去箇所の例を示した図である。
【図４】図３における光ビームスポット部１０１の照射順序の例を示す図である。
【図５】図２又は図３におけるメディア排出機構１０９の詳細を説明する図である。
【図６】図１における動作モードデータベース（ＤＢ）１１４に格納されるデータ例を説明する図である。
【図７】図１におけるターンテーブル式光ディスクメディア消去装置の制御部（ＣＰＵ）１１８の一連の概略制御動作例（その１）を説明するフローチャートである。
【図８】図１におけるターンテーブル式光ディスクメディア消去装置の制御部（ＣＰＵ）１１８の一連の概略制御動作例（その２）を説明するフローチャートである。
【図９】図１におけるターンテーブル式光ディスクメディア消去装置の制御部（ＣＰＵ）１１８の一連の概略制御動作例（その３）を説明するフローチャートである。
【図１０】図１におけるターンテーブル式光ディスクメディア消去装置の制御部（ＣＰＵ）１１８の一連の概略制御動作例（その４）を説明するフローチャートである。
【符号の説明】
【００６８】
１００…ターンテーブル式光ディスクメディア消去装置
１０１…光ビームスポット部
１０２…光ビーム出力制御部
１０３…温度センサ部
１０４…ターンテーブル
１０５…ターンテーブル制御部
１０６…テーブル位置センサ
１０７…メディア投入機構
１０８…メディア投入センサ
１０９…メディア排出機構
１０９Ａ…滑り台
１０９Ｂ…回転機構
１０９Ｃ…回転体
１０９Ｄ…ギアボックス
１０９Ｅ…ガイド
１１０…メディア排出センサ
１１１…メディア押出し部
１１２…動作モード選択スイッチ（ＳＷ）
１１３…動作モード表示部
１１４…動作モードデータベース（ＤＢ）
１１５…メモリ部
１１６…電源部
１１７…ＡＣ電源
１１８…制御部（ＣＰＵ）
１２０…光ディスクメディア
１２０Ａ…変形光ディスクメディア
１２０Ｂ…外周
１２０Ｃ…内周
【図１】
0004587234.tif 000002
【図２】
0004587234.tif 000003
【図３】
0004587234.tif 000004
【図４】
0004587234.tif 000005
【図５】
0004587234.tif 000006
【図６】
0004587234.tif 000007
【図７】
0004587234.tif 000008
【図８】
0004587234.tif 000009
【図９】
0004587234.tif 000010
【図１０】
0004587234.tif 000011